(57)【特許請求の範囲】
【請求項１】
プラグコネクタと、差動信号伝送のための少なくとも１つのワイヤペアを有する前記プラグコネクタに取り付けられたケーブルとを備えたプラグコネクタ構造であって、前記ワイヤペアのワイヤは、外装付きケーブルセクションにおいて第１の相互の距離（Ｘ）だけ互いに離間しており、前記プラグコネクタの方向に、拡幅セクションにおいて分岐し、前記プラグコネクタのガイドセクションにおいて、より大きい第２の相互の距離（Ｙ）だけ互いに離間しており、さらに、前記ワイヤペアの前記ワイヤ間の距離を縮小するために前記ワイヤペアの前記ワイヤに部分的に圧力を加え、前記拡幅セクション内で前記ワイヤペアを少なくとも部分的に包囲するスリーブ部を備え、
前記スリーブ部は、前記スリーブ部内を通る前記ワイヤペアの前記ワイヤ間の距離をさらに縮小するために、例えば押圧または圧着による外側からの圧力印加により、半径方向に変形し、
前記スリーブ部が、前記ケーブル（Ｌ）の長手方向に対して、円錐状または凸状に傾斜した内面を有し、好ましくは前記スリーブ部の内径は、そのケーブル側の端部で前記第１の相互の距離（Ｘ）に概ね整合され、そのプラグコネクタ側の端部で前記第２の相互の距離（Ｙ）に概ね整合されていることを特徴とするプラグコネクタ構造。
【請求項２】
前記スリーブ部は、前記ワイヤペアを完全に包囲するスリーブであるか、または、前記ワイヤペアを少なくとも部分的に包囲するクランプ部であることを特徴とする請求項１に記載のプラグコネクタ構造。
【請求項３】
前記スリーブ部は、前記外装付きケーブルセクションから出た後で、前記ワイヤが、前記第１の相互の距離（Ｘ）だけ実質的に離間して平行に通り続け、次に、前記ガイドセクションの方向により顕著な曲率をもって前記拡幅セクション内で分岐するように配置され形成されることを特徴とする請求項１または２に記載のプラグコネクタ構造。
【請求項４】
前記拡幅セクションへと突出するスペーサは、前記ワイヤペアの前記ワイヤの間に配置され、前記スリーブ部によって前記ワイヤが押し付けられることを特徴とする請求項１から３のいずれか一項に記載のプラグコネクタ構造。
【請求項５】
前記スリーブ部および／または前記スペーサは、非導電性材料製であることを特徴とする請求項４に記載のプラグコネクタ構造。
【請求項６】
前記ケーブルは、前記ワイヤペアを包囲する外部導体を有し、前記プラグコネクタは、前記外部導体に電気的に接続される外側導体部を有することを特徴とする請求項１から５のいずれか一項に記載のプラグコネクタ構造。
【請求項７】
前記外部導体は、前記外側導体部と押し合わされるか圧着されることを特徴とする請求項６に記載のプラグコネクタ構造。
【請求項８】
前記スリーブ部は、少なくともそのケーブル側の端部において、前記ケーブルの前記外部導体と略同一の内径を有し、前記ワイヤペアのシールドを前記プラグコネクタの方向に継続することを特徴とする請求項６または７に記載のプラグコネクタ構造。
【請求項９】
前記プラグコネクタは、前記ケーブルの長手方向に対して横断方向に離間した前記ワイヤペアの前記ワイヤのためのガイド通路を有する絶縁部を備え、前記ガイド通路は前記ガイドセクションを形成することを特徴とする請求項１から８のいずれか一項に記載のプラグコネクタ構造。
【請求項１０】
前記ワイヤペアの前記ワイヤはそれぞれ、それらのプラグコネクタ側の端部において、前記プラグコネクタの内部導体コンタクト要素と接続されることを特徴とする請求項１から９のいずれか一項に記載のプラグコネクタ構造。
【請求項１１】
前記プラグコネクタの前記ガイドセクションにおいて前記ワイヤはそれぞれ、前記ワイヤ間の距離を縮小するために、前記拡幅セクションに隣接した導電性材料製のワイヤスリーブによって包囲されることを特徴とする請求項１から１０のいずれか一項に記載のプラグコネクタ構造。
【請求項１２】
前記拡幅セクションに対面する各ワイヤスリーブの端部は前記ワイヤの絶縁部を包囲し、および／または、各ワイヤスリーブの他端は、絶縁されないワイヤ導体を包囲して絶縁されないワイヤ導体と電気的に接触し、好ましくは前記ワイヤスリーブの両端はそれぞれ、前記ワイヤに圧着されることを特徴とする請求項１１に記載のプラグコネクタ構造。
【請求項１３】
前記スリーブ部は、クランプスリーブ、クリップスリーブまたはＣスリーブであることを特徴とする請求項２に記載のプラグコネクタ構造。
【請求項１４】
前記スリーブ部および／または前記スペーサは、プラスチック材料であることを特徴とする請求項５に記載のプラグコネクタ構造。
【請求項１５】
前記外側導体部は、外部導体ハウジングであることを特徴とする請求項６に記載のプラグコネクタ構造。
【請求項１６】
前記外側導体部は、導体ブレードの形態であることを特徴とする請求項７に記載のプラグコネクタ構造。
【請求項１７】
前記ワイヤペアの前記ワイヤはそれぞれ、それらのプラグコネクタ側の端部において、前記プラグコネクタの内部導体コンタクト要素と一体に圧着されることを特徴とする請求項１０に記載のプラグコネクタ構造。
【発明の詳細な説明】
【技術分野】
【０００１】
本発明は、コネクタと、コネクタに接続されたケーブルを備えるプラグコネクタ構造に関する。差動信号を伝送するための少なくとも1つのワイヤペアがケーブル内に通り、ワイヤペアのワイヤはケーブルの内部で第１の相互の距離だけ離間している。この第１の相互の距離は、ワイヤペアが外部ケーブル層によって外装されることで達成され、外部ケーブル層は例えば、ワイヤペアの外側で当接して配置されケーブルの内部でワイヤペアを第１の相互の距離だけ離間させて保持する、外部導体（例えば導体ブレードまたは箔シールド）、絶縁体および／または保護外装等である。それにより、ワイヤ間の相互の距離は、ケーブル長手方向に垂直な２本のワイヤの中心間で測定される。ワイヤペアの２本のワイヤは、外装付きケーブルセクションから開始して、プラグコネクタのガイドセクションに入るまで拡幅セクション内でプラグコネクタの方向に分岐し、ガイドセクション内で２本のワイヤは、第１の相互の距離よりも大きい第２の相互の距離だけ離間する。
【背景技術】
【０００２】
プラグコネクタは、プラグコネクタを相手プラグコネクタに接続するためのプラグ側の端部と、例えばケーブルが半田付けおよび／または圧着によって固定されるケーブル側の端部とを有する。ワイヤペアのワイヤは、プラグコネクタ内で、プラグコネクタの内部導体コンタクト要素と電気的に接続されてもよい。
【０００３】
ケーブルは、例えば対になって撚り合わされた１つ以上のワイヤペアを備えたツイストペアケーブルであり、ワイヤペアはそれぞれ、例えば、データ信号、通信信号、ＲＦ信号等の差動信号の伝送を目的としている。撚り合わせは、外部の場に対するより良い保護を達成できる。代替的に、ケーブルは、２つより多い差動ワイヤペアを有してもよく、例えばそれはスターカッドケーブル等である。
【０００４】
プラグコネクタ２１０に接続されたワイヤペア２２２を有するケーブル２２０を備えた従来型のプラグコネクタ構造２００が図1に示されている。図に明示されたように、ワイヤペア２２２のワイヤは、ケーブル内部２３２で第１の相互の距離Ｘだけ離間し、また、プラグコネクタ２１０の絶縁部２１６内において第２の相互の距離Ｙだけ離間している。その中間で、ワイヤペア２２２の２本のワイヤは拡幅セクション２３４において分岐する。
【発明の概要】
【発明が解決しようとする課題】
【０００５】
しかし、このような従来型のプラグコネクタ構造による場合、差動データ信号は特定の周波数範囲において、最適に送信され得ないことが判明した。その代わりに、反射やその他の形態の信号干渉が発生することがあり、それは信号伝送に影響する。上記の問題に鑑み、本発明の目的は、ケーブルとプラグコネクタ間の移行部において、特に高周波数範囲における信号伝送を改善し、干渉を最小化することである。
【課題を解決するための手段】
【０００６】
この目的は、請求項１に記載のプラグコネクタ構造により達成される。本発明の有効なさらなる展開は、従属請求項に記載されている。
【０００７】
本発明に係るプラグコネクタ構造は、拡幅セクションにおいてワイヤペアを少なくとも部分的に包囲するスリーブ部を有し、スリーブ部は、ワイヤ間の距離を縮小するために、少なくとも部分的にワイヤペアのワイヤに圧力をかけるように設計される。
【０００８】
本発明は、ケーブル内部とプラグコネクタ内部の両方における特性インピーダンスまたはインピーダンスが、ワイヤペアのワイヤの幾何学的形状または相互の配置と、それらの間に配置される誘電体の組み合わせとによって、特定の好ましくは標準化された値に設定され、特性インピーダンスの急激な変化は、ワイヤ間の距離の変化およびこの位置における誘電性の変化の結果として、ケーブルとプラグコネクタ間の移行部で起こり得るという知見に基づいている。例えば、ジャンプ、変動およびその他の非均一性の急激な変化は、上記に説明した干渉、例えば信号反射、を招き得る。したがって、ワイヤ間の距離が変化するケーブルの長手方向の距離を短縮して、この領域におけるワイヤペアの幾何学的形状を、特性インピーダンスの急激な変化が低減または回避されるように構成すると有効である。これは、本発明により、ワイヤ間の距離を短縮するために、ワイヤペアを包囲するスリーブ部に通して２本のワイヤを拡幅セクションにおいて押し合わせることによって実現される。言い換えると、ワイヤペアに、スリーブ部を介して外側から半径方向に圧力がかけられ、その結果、ワイヤペアがケーブルの外部層によってもはや外装されていないプラグコネクタのガイドセクションの方向においても、ワイヤ間の第１の相互の距離が継続する。
【０００９】
本発明に係るプラグコネクタ構造は、シールド付きでもシールドなしでもよい。シールド付きプラグコネクタ構造において、一方ではケーブルは、ワイヤペアを包囲する、例えば導体ブレードである外部導体を有し、他方ではプラグコネクタは、内部導体コンタクトを包囲する、例えば外部導体ハウジングである外部導体部を有する。この場合、ワイヤペアは好ましくは拡幅セクションにおいて、例えばプラグコネクタの金属製スリーブセクションであるシールドによっても包囲される。シールドなしのプラグコネクタ構造の場合には、ケーブルおよび／またはプラグコネクタは外部導体または外側導体部を有していない。
【００１０】
本発明の第1の実施形態によれば、スリーブ部は、ワイヤペアを完全に包囲するスリーブであり、例えばシリンダバレルの形態の閉スリーブである。プラグコネクタ構造の組み立て中に、そのようなスリーブは、ケーブルから開始して、ガイドセクションの方向に、少なくとも部分的に、拡幅セクションに分岐するワイヤを押し合わせて、そこにフォームロックおよび／またはフォースロック式に保持されるまで押し合わせられてもよい。代替的に、スリーブ部は、ワイヤペアを少なくとも部分的に包囲する、例えばクランプスリーブ、クリップスリーブ、Ｃ型スリーブ等のクランプ部である。クランプ部は、拡幅セクションにおいて、ケーブルをプラグコネクタに取り付けた後、側部からワイヤペアにクリップ留めされてもよく、そこでスリーブはフォームロックおよび／またはフォースロック式に保持されてワヤペアを押し合わせる。そのようなクランプ部分は、ワイヤペアを完全にまたは部分的のみに包囲してもよい。スリーブ部はさらに、ワイヤペア上に別々の側から配置された、結合された２つ以上のスリーブセクションから構成されてもよい。
【００１１】
スリーブ部を通ってプラグコネクタのガイドセクションまでのワイヤペアの最適なガイダンスを実現するために、スリーブ部が、ケーブルの長手方向に対して、特に円錐状または凸状の、傾斜した内面を有すると好都合であることが判った。これは、ワイヤペアが、正確に、規定された曲率および／または所望の曲線で分離して案内され得ることを意味し、それは特性インピーダンスの可能な限り一定な曲線を実現するために好都合であることが判った。
【００１２】
好ましくは、スリーブ部の内径は、そのケーブル側の端部で第１の相互の距離に概ね整合され、そのプラグコネクタ側の端部で第２の相互の距離に概ね整合されている。例えば、スリーブ部は、そのケーブル側の端部において、外装付きケーブルセクションのワイヤペア外装とほぼ同じ内径を有している。この内径は、第１の相互の距離＋ワイヤ径１回分に対応し得る。プラグコネクタ側端部でのスリーブ部の内径は、第２の相互の距離＋ワイヤ径１回分に対応し得る。
【００１３】
言い換えると、スリーブ部は、好ましくは、外装付きケーブルセクションから出た後で、ワイヤが好ましくは、第１の相互の距離だけ実質的に離間して平行に通り、次に、ガイドセクションの方向により顕著な曲率をもって拡幅セクション内で分岐し、それがプラグコネクタのガイドセクションに入るまで続き、再び、拡大した距離で互いに離間して実質的に平行に通るように配置され形成される。
【００１４】
本発明の特に好ましい実施形態では、スリーブ部内を通るワイヤペアのワイヤ間の距離をさらに縮小するために、スリーブ部は、外側からの圧力印加により、例えば押圧または圧着により、ワイヤペアに押し付けられることにより半径方向に変形する。
【００１５】
半径方向の圧力の印加によるスリーブ部の変形中にワイヤペアの損傷を防止するために、好ましくは非導電性スペーサ、例えばマンドレルを配設し、マンドレルは、プラグコネクタから開始して拡幅セクションへと突出し、ワイヤペアのワイヤの間に配置され、そこにスリーブ部によってワイヤが押し付けられると好都合であることが判った。このマンドレルによって、スリーブ部の過度な変形、したがってワイヤの強すぎる圧縮が防止され得る。さらに、マンドレルの材料は、拡幅セクションにおいて特性インピーダンスの特定の曲線が実現されるように選択可能である。このため、マンドレルは、非導電性材料から構成されてもよく、それは例えばプラスチック材料または他の誘電体または絶縁材料である。非導電性材料製のマンドレルは、ワイヤ絶縁部が拡幅セクションにおいて部分的に欠落していたとしても、圧縮中に２本のワイヤが電気的に接触し得ないというさらなる利点を有する。
【００１６】
さらに、スリーブ部は、例えばプラスチック材料等の非導電性材料で形成されてもよい。スリーブ部の材料は、拡幅セクションで特性インピーダンスの特定の曲線が実現されるように選択可能である。
【００１７】
本発明の特に好ましい実施形態において、ケーブルは、少なくとも１つのワイヤペアのシールドを提供する、例えば導体ブレードまたは箔シールド等の、ワイヤペアを包囲する外部導体を有する。プラグコネクタのプラグ側の端部までの連続したシールドを実現するために、プラグコネクタも、外部導体に電気的に接続された導電性材料製である、例えば外部導体ハウジングの形態の外部導体部を有すると好都合であることが判った。ケーブルとプラグコネクタとの間の移行領域においてもシールドを施すために、外部導体部は、拡幅セクションにおいてワイヤペアとスリーブ部を包囲しケーブルの外部導体の外側に当接する、ケーブルの方向に突出するスリーブセクションを有してもよい。
【００１８】
好ましくは導体ブレードの形態である、ケーブルの外部導体は、好ましくは、プラグコネクタの外部導体部と直接または間接に押し合わされるか圧着される。このために、導体ブレードは、外装付きケーブルセクションの先端に取り付けられた圧着スリーブの上に折り返され得る。圧着スリーブまたはその上に折り返される外部導体は、好ましくは、外装付きケーブルセクションのコネクタ側の端部を形成する。
【００１９】
ケーブルとプラグコネクタとの間の移行領域におけるシールド付きプラグコネクタ構造の最適な電気的整合を実現するために、スリーブ部が、少なくともそのケーブル側の端部において、ケーブルの外部導体とほぼ同じ内径を有し、その結果、ワイヤペアのシールドがプラグコネクタの方向に継続すると有効であることが判った。この場合、スリーブ部は、導電性材料、例えば金属製である。本発明のこの態様は、内部導体と外部導体の間の距離の増加または急激な変化は一般に、誘導領域または望ましくないインピーダンスの上昇につながるため、ケーブルの長手方向において可能な限り一定な特性インピーダンスを得るために、ワイヤペアと外部導体との間の実質的に一定の距離が有効であるという知見に基づいている。本発明によれば、スリーブ部の結果として、シールドは、外部導体の前方軸方向端部から開始して、ワイヤペアから概ね一定の距離で継続し、その結果この領域においてはインピーダンスの急激な変化は発生しない。
【００２０】
内部を通るワイヤセクションと内部導体コンタクト要素との規定された相互の距離を有するプラグコネクタの安定した構造は、プラグコネクタが、ケーブルの長手方向に対して横断方向に離間したワイヤペアのワイヤのためのガイド通路を有する絶縁部を有し、それを通してガイドセクションが形成されるということによって可能となる。ガイド通路内において、ワイヤペアのワイヤは、それぞれ、プラグコネクタの内部導体コンタクト要素と、プラグコネクタ側の端部で接続、特に圧着され得る。
【００２１】
スリーブ部が拡幅セクションにおいてワイヤを押し合わせても、一般にワイヤの相互の距離が少なくとも部分的に依然として大き過ぎて、拡幅セクションとプラグコネクタのガイドセクションとの間の移行部での最適な電気的整合が依然として実現されないことがわかった。この移行部での２本のワイヤ間の距離はさらに、ガイドセクション内に突出するワイヤの前端が、それぞれ少なくとも部分的に、拡幅セクションに隣接する導電性材料製のワイヤスリーブによって包囲されることでさらに低減され得る。ワイヤスリーブはそれぞれ、ワイヤに対応付けられ好ましくはワイヤによって完全に包囲された導体と電気的に接触している。それぞれワイヤ径を増加させるワイヤスリーブにより、２本のワイヤ間の距離または２本のワイヤ導体間の距離は縮小し、その結果、この領域における特性インピーダンスのばらつきをさらに減少することができる。ワイヤスリーブを、ワイヤ導体および／またはワイヤ絶縁部上に圧着してもよい（ＩＳＯ圧着）。ワイヤ絶縁部への圧着は、２本のワイヤ導体間の距離において、特に顕著な縮小をもたらす。代替的にまたは付加的に、ワイヤは、ワイヤスリーブによってプラグコネクタの内部導体コンタクト要素と接続され得る。さらに、個々のワイヤと、ワイヤを包囲する共通の外部導体部との間の間隔も、ワイヤスリーブによって低減することができ、その結果、拡幅セクションでの特性インピーダンスの曲線がさらに改善され得る。
【００２２】
本発明の特に好ましい実施形態において、拡幅セクションに対面する各ワイヤスリーブの端部はワイヤ絶縁部を包囲し、また、各ワイヤスリーブの他端は、ワイヤ導体を直接包囲してワイヤ導体と電気的に接触し、ワイヤ導体をプラグコネクタの内部導体コンタクト要素に接続する。それにより、拡幅セクションに対面する各ワイヤスリーブの端部は、ワイヤ絶縁部の外部に好ましくは圧着され（ＩＳＯ圧着）、ワイヤスリーブのプラグコネクタ側の端部は、ワイヤ導体に圧着される。これは、ワイヤペアと、プラグコネクタの内部導体コンタクト要素との間の特に高い引張強度での接続につながり、最適な電気的整合をもたらす。
【図面の簡単な説明】
【００２３】
以下の説明では、本発明に重要で説明では詳述されない詳細事項を示した添付の図面を参照して、本発明を説明する。
【００２４】
【図１】従来型のプラグコネクタ構造の縦断面図である。
【図２】本発明に係るプラグコネクタ構造の縦断面図である。
【図３】信号周波数に関連するＲＦ信号のリターンロスを示す図であり、ＲＦ信号はプラグコネクタ構造を介して伝わる。
【図４】信号伝搬時間との関係、または、ケーブルＬの方向での位置との関係、におけるプラグコネクタ構造の特性インピーダンスを示す。
【発明を実施するための形態】
【００２５】
図１および２では、従来型のプラグコネクタ構造（図１）と、本発明に係るプラグコネクタ構造（図２）とが比較される。図２に示す本発明に係るプラグコネクタ構造１００は、プラグコネクタ１０と、高抗張力でプラグコネクタ１０に取り付けられたケーブル２０、例えば２本の差動ワイヤペアを有するシールド付きツイストペアまたはスターカッドケーブルからなる。
【００２６】
ケーブル２０は、プラグコネクタ１０のケーブル側の端部に取り付けられ、他方で、相手側のプラグコネクタ８０がプラグコネクタ１０のプラグ側の端部に着脱可能に差し込まれる。
【００２７】
図示の実施形態では、ケーブル２０は、シールド付きツイストペアケーブルであり、撚り合わされたワイヤ２２、２４と、導体ブレードの形態であり得るワイヤ２２、２４を包囲する外部導体２６とを備えている。ケーブルの内部には、２本のワイヤ２２、２４が特定の距離Ｘだけ離間してケーブルＬの長手方向に延びる。そのようなケーブルは、差動信号伝送に特に適しており、差動信号は例えばＲＦ信号、データ信号、通信信号等である。例えば反射等の干渉を回避するために、ケーブルＬの長手方向においてプラグコネクタ構造の全長にわたる特定のインピーダンス曲線が重要である。特に、特性インピーダンスの大きなばらつきまたは変動、インピーダンスの急激な変化等が望ましくない。
【００２８】
ケーブルは、１つより多いワイヤペアを備えてもよい。例えば、ケーブルは、シールドのために共通の外部導体によって包囲され得るおそらくスターカッド構成のように、２本以上の撚り合わされたワイヤペアを有してもよい。
【００２９】
２本のワイヤ２２、２４は、外装付きケーブルセクション３２から出た後で、拡幅セクション３４内で分岐し、分岐はワイヤ２２、２４がプラグコネクタ１０のガイドセクション３６に入るまで続く。ガイドセクション３６において、ワイヤ２２、２４はそれぞれ、絶縁部１４のガイド通路に配置され、それにより、２本のワイヤ２２、２４間の、規定された、より大きな第２の相互の距離Ｙが保証される。ガイドセクション３６において、ワイヤ２２、２４はそれぞれプラグコネクタ１０の内部導体コンタクト要素１６に電気的に接続される。プラグコネクタの内部導体コンタクト要素１６は、相手側のプラグコネクタ８０の相手の内部導体コンタクト要素と電気的に接触するように設計される。
【００３０】
ワイヤペアのワイヤ２２、２４が分岐する拡幅セクション３４においては、ワイヤペアは、少なくとも部分的にスリーブ部４０によって包囲され、それはワイヤに外部から圧力を加え、そのようにして両ワイヤ間の距離を縮小する。スリーブ部４０は、円筒形の外面と実質的に円錐状の内面４２を有してもよく、円錐状の内面はワイヤ２２、２４に密接して、これらを互いに押し合わせる。このため、スリーブ部４０は、外部から圧力を加えることによって変形され得る。代替的にまたは付加的に、スリーブ部は、ワイヤペアに圧着される。拡幅セクション３４において、外装付きケーブルセクション３２の方向に窄まる例えばマンドレルであるスペーサ４４が２本のワイヤ２２、２４の間に配設され、それに２本のワイヤ２２、２４が外側から押し付けられる。マンドレル４４の外面は、ケーブルＬの長手方向におけるその曲率に関して、スリーブ部４０の内面４２に適合され、その結果、ワイヤ２２、２４を収容するフリースペースが両ケーブルの間に形成される。マンドレル４４は好ましくは、例えば誘電材料等の非導電性材料から構成される。これは、一方では、所望のインピーダンス曲線を実現するために、また、他方では、２本のワイヤ２２、２４の間の電気的接触を防止するために、特に好都合であることが判った。マンドレル４４は、プラグコネクタ１０と一体的に接続されてもよい。例えば、マンドレル４４は、絶縁部１４に固定され、そこから拡幅セクション３４へと突出する。
【００３１】
スリーブ部４０のコネクタ側の端部の内径は、概ね第２の相互の距離Ｙと第１の相互の距離Ｘとの差分だけ、スリーブ部４０のケーブル側の端部の内径よりも大きい。その結果、ケーブル内部でのワイヤ間の距離Ｘは、スリーブ部４０を介して、プラグコネクタの方向にさらに継続する。斜め外側に湾曲するスリーブ部の内面４２に沿ってのみ、ワイヤ２２、２４はより顕著な曲率で外側に湾曲し、それが、ワイヤがガイドセクション３６に進入するまで続く。
【００３２】
本発明の第1の実施形態において、スリーブ部は、例えばプラスチック等の非導電性材料で構成される。本発明の別の実施形態では、スリーブ部は、金属等の導電性材料で構成される。この場合、スリーブ部４０は、ケーブル２０の外部導体２６のプラグコネクタ側の端部に引き続いてワイヤペアのシールドを継続できる。例えば、スリーブ部４０は、外部導体２６のプラグコネクタ側の端部に直接隣接する。
【００３３】
ワイヤペアのワイヤ２２、２４はそれぞれ、拡幅セクション３４に隣接してガイドセクション３６に配置され、関連するワイヤを包囲するワイヤスリーブ６０を有している。ワイヤスリーブ６０は、それぞれ、関連するワイヤ導体に電気的に接続される。結果として、拡幅セクション３４とガイドセクション３６との間の移行部において２本のワイヤ導体間の距離がさらに縮小する。
【００３４】
好ましくは、ワイヤスリーブは、ワイヤ絶縁体および／またはワイヤ導体に圧着（ＩＳＯ圧着）される。図２に示す特に好ましい実施形態では、ワイヤスリーブ６０のケーブル側の端部は、それぞれ、ワイヤ導体間の距離を縮小するためにワイヤ絶縁部に圧着され、ワイヤスリーブ６０の他端は、これを内部導体コンタクト要素１６と高抗張力で接続するために、ワイヤ導体に直接圧着される。
【００３５】
図３は、信号周波数に関する信号の反射損失（「リターンロス」）を示す。参照番号３１０は図１に示した従来型のプラグコネクタ構造を介して伝わる信号を示し、参照番号３２０は、図２に示す本発明に係るプラグコネクタ構造を介して伝わる信号を示す。周波数範囲が約６ＧＨｚまでの範囲、特に１．５ＧＨｚから６ＧＨｚの間であり、本発明によるプラグコネクタ構造を用いた場合には、発生する損失が非常に少なくなることが明らかにわかる。
【００３６】
この顕著な改良は、従来型のプラグコネクタ構造とは対照的に、本発明に係るコネクタ構造では、スリーブ部４０とＩＳＯ圧着を備えたワイヤスリーブ６０を有し、ケーブルＬの長手方向におけるインピーダンス曲線がより低い変動を有するという事実に起因する。
【００３７】
これは、特性インピーダンスが、信号伝搬時間またはケーブルＬの長手方向における位置、に関連することを示す図４から特に明確に見て取れる。参照番号３３０は、図１に示した、スリーブ部４０およびワイヤスリーブ６０のない従来型のプラグコネクタ構造を示し、参照番号３４０は、図２に示した本発明に係るプラグコネクタ構造を示している。
【００３８】
プラグコネクタのプラグ側の端部におけるインピーダンスはいずれも場合にも１００オーム（参照番号３５１参照）、ケーブル内部のインピーダンスはいずれも場合にも約９９オーム（参照番号３５４参照）である。その間で、従来型のプラグコネクタ構造２００のインピーダンスは、顕著な最大値を通り、その最大値は拡幅セクション２３４の領域内に概ね存在する（参照番号３３０参照）。図３から見て取れるように、この最大値は、信号干渉および反射につながる。
【００３９】
対照的に、本発明のプラグコネクタ構造１００のインピーダンスは、顕著に減少した変動を提示する（参照番号３４０参照）。ＩＳＯ圧着の領域は今や容量が高すぎ（参照番号３５２参照）、外装付きケーブルセクション３２と拡幅セクション３４の間の移行部は、大分改善しているものの依然として誘導性が高すぎる（参照番号３５３参照）。したがって、これら２つの効果が、約６ＧＨｚまでの周波数に関してはうまく互いに補償し合うが、これ以上高い周波数に関してはさほどうまく機能しない。
【００４０】
さらなる改善は、薄肉化したワイヤスリーブ６０および／またはＩＳＯ圧着の領域内でのワイヤ径を小さくすることによって実現可能である。拡幅セクション３４におけるワイヤも、より一層押し合わされてもよい。さらに、付加的または代替的に、ワイヤペアにより大きな圧力を加えるために、スタークリンプを考慮してもよい。
【００４１】
本発明は、説明した実施形態に限定されない。例えば、ケーブルは、１つより多いワイヤペアを有してもよい。さらに、ケーブルは、必ずしもシールドされなくても、また、必ずしも外部導体を有していなくてもよい。スリーブ部は、別個の構成要素であるか、または、代替的にプラグコネクタに接続されるか、または、プラグコネクタに一体化されていてもよい。スリーブ部は、ワイヤペアに、フォームロック、フォースロックおよび／または接着されて接続されてもよい。
【図１】
0006621832.tif 000002
【図２】
0006621832.tif 000003
【図３】
0006621832.tif 000004
【図４】
0006621832.tif 000005